(57)【要約】【課題】画像の入力と出力との両方を容易に行うことができる画像入出力装置を提供すること。【解決手段】画像入出力の対象が、現像済みフィルムか未露光フィルムかを識別する識別部と、識別部により対象が現像済みフィルムであると識別されると、現像済みフィルムから画像の読み取りを行う画像入力部と、識別部により対象が未露光フィルムであると識別されると、未露光フィルムに対する画像の露光を行う画像出力部とを備える。【選択図】      図６
2004317679.tif 000002
【特許請求の範囲】
【請求項１】
画像入出力の対象が、現像済みフィルムか未露光フィルムかを識別する識別部と、
前記識別部により前記対象が前記現像済みフィルムであると識別されると、前記現像済みフィルムから画像の読み取りを行う画像入力部と、
前記識別部により前記対象が前記未露光フィルムであると識別されると、前記未露光フィルムに対する画像の露光を行う画像出力部と
を備えたことを特徴とする画像入出力装置。
【請求項２】
請求項１に記載の画像入出力装置において、
前記画像入出力装置は、前記現像済みフィルムを保持するホルダと前記未露光フィルムを保持するホルダとのいずれかを本体に着脱可能であり、
前記識別部は、いずれのホルダが本体に装着されているかを判断することにより前記識別を行う
ことを特徴とする画像入出力装置。
【請求項３】
請求項１または請求項２に記載の画像入出力装置において、
前記画像入力部は、撮像素子を備え、
前記画像出力部は、表示素子を備え、
前記画像入力部および画像出力部は、前記対象から前記撮像素子および前記表示素子までの間に共通の光学系を含み、
前記撮像素子と前記表示素子とのいずれかを、前記光学系を介して、前記対象と共役な位置に設定する切換部を備えた
ことを特徴とする画像入出力装置。
【請求項４】
請求項３に記載の画像入出力装置において、
前記撮像素子と前記表示素子とは、同一の基板上に配置され、
前記切換部は、前記基板を移動して前記設定を行う
ことを特徴とする画像入出力装置。
【請求項５】
請求項３に記載の画像入出力装置において、
前記共通の光学系は、前記対象からの光路を、前記撮像素子と前記表示素子とのいずれかに導く光路切換素子を含み、
前記切換部は、前記光路切換素子を移動して前記設定を行う
ことを特徴とする画像入出力装置。
【発明の詳細な説明】
【０００１】
【発明の属する技術分野】
本発明は、銀塩フィルムを画像入出力の対象とする画像入出力装置に関する。
【０００２】
【従来の技術】
従来より、現像済みフィルムに記録されている画像を、ディジタル画像データとして取り込むフィルムスキャナが知られている（例えば、特許文献１参照）。このようなフィルムスキャナでは、ＬＥＤ（Ｌｉｇｈｔ  Ｅｍｉｔｔｉｎｇ  Ｄｉｏｄｅ）などの照明によって、現像済みフィルムを裏面から照明し、透過光を投影光学系を用いて結像し、撮像素子により撮像が行われる。
【０００３】
また、ディジタル画像データを未露光フィルムに対して露光するフィルムレコーダが知られている（例えば、特許文献２参照）。このようなフィルムレコーダでは、ＣＲＴ（Ｃａｔｈｏｄｅ−ｒａｙ  Ｔｕｂｅ）などの表示素子に表示されたディジタル画像データを、投影光学系を用いて結像し、未露光フィルムに対する露光が行われる。
【特許文献１】
特開２００１−１４４８９６号公報
【特許文献２】
特開２００１−２２００５号公報
【０００４】
【発明が解決しようとする課題】
しかし、前述したフィルムスキャナは現像済みフィルムからの画像の入力専用の機器であり、また、前述したフィルムレコーダは、未露光フィルムへの画像の出力専用の機器である。そのため、画像の入出力を行うには両方用意しなくてはならなかった。
【０００５】
本発明は、上記問題に鑑みてなされたものであり、画像の入力と出力との両方を容易に行うことができる画像入出力装置を提供することを目的とする。
【０００６】
【課題を解決するための手段】
請求項１に記載の画像入出力装置は、画像入出力の対象が、現像済みフィルムか未露光フィルムかを識別する識別部と、前記識別部により前記対象が前記現像済みフィルムであると識別されると、前記現像済みフィルムから画像の読み取りを行う画像入力部と、前記識別部により前記対象が前記未露光フィルムであると識別されると、前記未露光フィルムに対する画像の露光を行う画像出力部とを備えたことを特徴とする。
【０００７】
請求項２に記載の画像入出力装置は、請求項１に記載の画像入出力装置において、前記画像入出力装置は、前記現像済みフィルムを保持するホルダと前記未露光フィルムを保持するホルダとのいずれかを本体に着脱可能であり、前記識別部は、いずれのホルダが本体に装着されているかを判断することにより前記識別を行うことを特徴とする。
【０００８】
請求項３に記載の画像入出力装置は、請求項１または請求項２に記載の画像入出力装置において、前記画像入力部は、撮像素子を備え、前記画像出力部は、表示素子を備え、前記画像入力部および画像出力部は、前記対象から前記撮像素子および前記表示素子までの間に共通の光学系を含み、前記撮像素子と前記表示素子とのいずれかを、前記光学系を介して、前記対象と共役な位置に設定する切換部を備えたことを特徴とする。
【０００９】
請求項４に記載の画像入出力装置は、請求項３に記載の画像入出力装置において、前記撮像素子と前記表示素子とは、同一の基板上に配置され、前記切換部は、前記基板を移動して前記設定を行うことを特徴とする。
請求項５に記載の画像入出力装置は、請求項３に記載の画像入出力装置において、前記共通の光学系は、前記対象からの光路を、前記撮像素子と前記表示素子とのいずれかに導く光路切換素子を含み、前記切換部は、前記光路切換素子を移動して前記設定を行うことを特徴とする。
【００１０】
【発明の実施の形態】
以下、図面に基づいて、本発明の実施形態について詳細に説明する。
図１は、本実施形態の画像入出力装置１の使用形態を示す図である。
画像入出力装置１は、図１に示すように、接続ケーブル３を介して、コンピュータ２と相互に接続される。画像入出力装置１における画像入出力の対象は、銀塩フィルムであり、未露光フィルムを画像出力の対象とし、現像済みフィルムを画像入力の対象とする。
【００１１】
画像入出力装置１は、画像出力時には、コンピュータ２から送られるディジタル画像データを受け取って未露光フィルムに露光する。また、画像入力時には、現像済みフィルムから読み取ったディジタル画像データを、コンピュータ２に転送する。
画像入出力装置１は、図２に示す本体１０と、図３に示す未露光フィルム用ホルダ３０と、図４に示す現像済みフィルム用ホルダ５０とで構成される。
【００１２】
未露光フィルム用ホルダ３０および現像済みフィルム用ホルダ５０は、本体１０に対して着脱可能であり、本体１０のスロット部１１に差し込まれることにより本体１０に装着される。
まず、本体１０について説明する。本体１０内には、図２に示すように、光学ユニット１２、光学ユニット走査機構１３、制御部１５、本体側接続接点１６が設けられている。
【００１３】
制御部１５は、光学ユニット走査機構１３、本体側接続接点１６、光学ユニット１２内の照明光源１７および素子基板２３（詳細は後述する）に接続される。また、本体１０は、コンピュータ２と本体１０を接続するためのドライバ（例えばＳＣＳＩインターフェイス）機能を備える外部接点２５を有する。
【００１４】
光学ユニット１２は、上記したスロット部１１の上方に配置された照明光源１７および屈曲ミラー１８と、スロット部１１の下方に配置された屈曲ミラー１９、投影レンズ２０、撮像素子２１、表示素子２２、素子基板２３、切換機構２４とで構成されている。
照明光源１７は、ＬＥＤ（発光ダイオード）で構成され、制御部１５からの指示（後述する）に応じて点灯あるいは消灯される。
【００１５】
撮像素子２１および表示素子２２は、同一の素子基板２３上に設けられる。素子基板２３は、切換機構２４により、図２の上下方向（投影レンズ２０の光軸に垂直な方向）に移動可能である。切換機構２４は、制御部１５から素子基板２３への指示にしたがって、素子基板２３を上下方向に移動する（詳細は後述する）。このように、素子基板２３を上下方向に移動することにより、投影レンズ２０の光軸上に撮像素子２１と表示素子２２とのいずれかが配置される。図２では、素子基板２３は上方に移動され、撮像素子２１が、投影レンズ２０の光軸上に配置されている。
【００１６】
撮像素子２１が、投影レンズ２０の光軸上に配置されている場合、撮像素子２１は、投影レンズ２０を介して、画像入出力の対象と共役な位置に設定されることになる。一方、表示素子２２が、投影レンズ２０の光軸上に配置されている場合、表示素子２２は、投影レンズ２０を介して、画像入出力の対象と共役な位置に設定されることになる。
【００１７】
図５Ａは、撮像素子２１、表示素子２２、素子基板２３の拡大図である。表示素子２２は反射型の表示素子であり、図５Ａに示すように、表示素子用照明光源２６および表示素子照明光学系２７と共に、表示素子パッケージ２８内に設けられる。
表示素子２２は、撮像素子２１よりも、長さｄだけ投影レンズ２０に近づいて配置される。この長さｄは、表示素子照明光学系２７の構成（厚み、屈折率など）に応じて決定され、表示素子２２が投影レンズ２０の光軸上に配置される場合に、表示素子２２が、画像入出力の対象と共役な位置に設定されるように決定される。
【００１８】
このように長さｄを持たせることにより、表示素子２２が投影レンズ２０の光軸上に配置された場合の画像入出力の対象から表示素子２２までの光路長と、撮像素子２１が投影レンズ２０の光軸上に配置された場合の画像入出力の対象から撮像素子２１までの光路長とは等しくなる。すなわち、撮像素子２１および表示素子２２は、画像入出力の対象に対して光学的に等価な位置に配置されることになる。
【００１９】
図５Ｂは、撮像素子２１、表示素子２２、素子基板２３を、図５Ａの矢印ａの方向から見た図である。前述した表示素子用照明光源２６、表示素子照明光学系２７、表示素子パッケージ２８は、図示省略してある。撮像素子２１および表示素子２２は、図５Ｂに示すように、画素が一次元に配列された素子であり、画素領域の幅Ｌはほぼ等しい。幅Ｌが等しい場合、投影レンズ２０に変倍機構などを設けなくても、画像入力時における現像済みフィルムの読み取り範囲と同じ部分に、画像出力時における未露光フィルムの露光範囲を設定することができる。
【００２０】
以上説明した光学ユニット１２は、光学ユニット走査機構１３により投影レンズ２０の光軸方向に、所定距離ずつ移動される。光学ユニット走査機構１３は、制御部１５からの指示にしたがって不図示の走査モータを駆動して、光学ユニット１２を移動する。
また、本体側接続接点１６は、スロット部１１に差し込まれるホルダと電気的に接続可能な接点である（詳細は後述する）。
【００２１】
次に、未露光フィルム用ホルダ３０について説明する。未露光フィルム用ホルダ３０は、画像出力時に本体１０に装着して用いられるホルダであり、画像出力の対象である未露光フィルムを内部に保持する。
【００２２】
未露光フィルム用ホルダ３０は、図３に示すように、裏蓋３１、給送機構３３、巻き上げスプール３４、アパーチャ３５、シャッタ機構３６、未露光フィルム用ホルダ制御部３７、駆動用電池３８を内部に備えると共に、本体１０の本体側接続接点１６と電気的に接続可能なホルダ側接続接点３９を備える。
裏蓋３１を開放することにより未露光フィルムが納められたフィルムパトローネ３２を、未露光フィルム用ホルダ３０内に装填可能である。また、給送機構３３および巻き上げスプール３４は、フィルムパトローネ３２に納められた未露光フィルムを給送可能である。画像の露光対象のコマの開口部であるアパーチャ３５は、シャッタ機構３６により開閉可能であり、シャッタ機構３６は、裏蓋３１と共に暗箱を形成し、未露光フィルムへの不要な露光を防止する。
【００２３】
未露光フィルム用ホルダ制御部３７は、給送機構３３およびホルダ側接続接点３９に接続され、ホルダ側接続接点３９を介した本体１０の制御部１５の指示にしたがって、給送機構３３を制御する。また、駆動用電池３８は、フィルムパトローネ３２が装填された際に初期動作（フィルムのローディングなど）を行うための電源である。
【００２４】
次に、現像済みフィルム用ホルダ５０について説明する。現像済みフィルム用ホルダ５０は、画像入力時に本体１０に装着して用いられるホルダであり、画像入力の対象である現像済みフィルムを内部に保持する。
現像済みフィルム用ホルダ５０は、図４に示すように、フィルム開口部５１、給送機構５２、現像済みフィルム用ホルダ制御部５３を内部に備えると共に、本体１０の本体側接続接点１６と電気的に接続可能なホルダ側接続接点５４を備える。
【００２５】
フィルム開口部５１は、現像済みフィルムを挿入する口であり、給送機構５２は、フィルム開口部５１に挿入された現像済みフィルムを給送する。また、現像済みフィルム用ホルダ制御部５３は、給送機構５２およびホルダ側接続接点５４に接続され、ホルダ側接続接点５４を介した本体１０の制御部１５からの指示にしたがって、給送機構５２を制御する。
【００２６】
なお、制御部１５、本体側接続接点１６は、請求項の「識別部」に対応し、光学ユニット１２、光学ユニット走査機構１３、制御部１５、本体側接続接点１６、外部接点２５および現像済みフィルム用ホルダ５０は、請求項の「画像入力部」に対応する。また、光学ユニット１２、光学ユニット走査機構１３、制御部１５、本体側接続接点１６、外部接点２５および未露光フィルム用ホルダ３０は、請求項の「画像出力部」に対応し、制御部１５、素子基板２３、切換機構２４は、請求項の「切換部」に対応する。
【００２７】
以上説明したような構成の画像入出力装置１の動作について図６を用いて説明する。
不図示の電源がＯＮされると、ステップＳ１において、制御部１５は、本体１０のスロット部１１にホルダが装着されたか否かを判定する。制御部１５は、本体側接続接点１６に、何らかの端子（未露光フィルム用ホルダ３０のホルダ側接続接点３９または現像済みフィルム用ホルダ５０のホルダ側接続接点５４）が接続されたか否かを判断することによりホルダが装着されたか否かを判定し、ホルダが装着されたと判定されると、ステップＳ２に進む。
【００２８】
ステップＳ２において、制御部１５は、装着されたホルダへの電源供給を開始する。制御部１５は、不図示の電源から外部接点２５を介して供給される電源を、本体側接続接点１６を介して、ホルダに供給する。
ステップＳ３において、制御部１５は、装着されたホルダの種類を判定する。つまり、未露光フィルム用ホルダ３０と現像済みフィルム用ホルダ５０のいずれのホルダが本体１０に装着されているかを判断する。
【００２９】
具体的に言うと、制御部１５は、図７のように、本体側接続接点１６に未露光フィルム用ホルダ３０のホルダ側接続接点３９が接続されている場合には、未露光フィルム用ホルダ３０が装着されたと判断する。一方、図８のように、本体側接続接点１６に現像済みフィルム用ホルダ５０のホルダ側接続接点５４が接続されている場合には、制御部１５は、現像済みフィルム用ホルダ５０が装着されたと判断する。すなわち、制御部１５は、本体側接続接点１６に接続されている接点の種類に基づいて、本体１０に装着されているホルダの種類を判断することにより、画像入出力の対象が、現像済みフィルムか未露光フィルムかを識別する。
【００３０】
なお、本体１０に未露光フィルム用ホルダ３０が装着される場合には、装着前にフィルムパトローネ３２が予めホルダ内に装填されているものとする。また、本体１０に現像済みフィルム用ホルダ５０が装着される場合には、装着後に現像済みフィルムが装填されるものとする。
そして、前述したような識別を行った後、制御部１５は、本体１０に装着されたホルダが未露光フィルム用ホルダ３０である場合には、ステップＳ４に進み、現像済みフィルム用ホルダ５０である場合には、ステップＳ１３に進む。
【００３１】
以降、ステップＳ４〜ステップＳ１１では、画像入出力の対象が未露光フィルムである場合、すなわち、画像出力を行う場合について説明し、ステップＳ１３〜ステップＳ２１では、画像入出力の対象が現像済みフィルムである場合、すなわち、画像入力を行う場合について説明する。
まず、画像出力時の動作について説明する。
【００３２】
ステップＳ３において、本体１０に装着されたホルダが未露光フィルム用ホルダ３０であると判定される（画像入出力の対象が未露光フィルムであると識別される）と、ステップＳ４において、制御部１５は、表示素子２２を投影レンズ２０の光軸上に配置する（図７の状態）。制御部１５は、切換機構２４に、素子基板２３を下方に移動するよう指示を出す。なお、素子基板２３が既に下方に移動されている場合（表示素子２２が投影レンズ２０の光軸上に配置されている場合）、制御部１５は、そのままステップＳ５に進む。
【００３３】
ステップＳ５において、制御部１５は、条件設定を行う。制御部１５は、露光時間、表示素子２２の表示素子用照明光源２６の光量などを決定し、各部に指示を出す。なお、条件設定の詳細な方法は、公知技術と同様に行うことができるため、説明を省略する。
ステップＳ６において、制御部１５は、本体側接続接点１６およびホルダ側接続接点３９を介して、未露光フィルム用ホルダ制御部３７にシャッタを開放するよう指示を出す。未露光フィルム用ホルダ制御部１７は、制御部１５からの指示にしたがって、シャッタ機構３６を制御し、シャッタを開放する。
【００３４】
ステップＳ７において、制御部１５は、ステップＳ５で設定した光量で、表示素子２２に画像を表示する。図７において、表示素子２２に表示された画像は、投影レンズ２０および屈曲ミラー１９を介して、未露光フィルム用ホルダ３０に保持された未露光フィルム上に結像される。
ここで、画像とは、未露光フィルムに対して露光される画像であり、コンピュータ２から、接続ケーブル３および画像入出力装置１の外部接点２５を介して、１ラインずつ入力されるものとする。なお、画像入出力装置１内にバッファメモリを設け、所定量ずつまとめて入力するようにしても良い。
【００３５】
制御部１５は、コンピュータ２から入力される画像を、表示素子２２に表示する。このような画像の表示は、ステップＳ６で説明したシャッタの開放と同時に開始される。そして、ステップＳ５で設定した露光時間の間、表示を行うことにより、未露光フィルムに対する画像の露光を行うと、制御部１５は、ステップＳ８に進む。
【００３６】
ステップＳ８において、制御部１５は、画像全体の表示が終了したか否かを判定する。制御部１５は、コンピュータ２からの画像の入力が終了したか否かを判定し、終了していないと判定した場合には、ステップＳ９に進み、終了していると判定した場合には、ステップＳ１０に進む。
【００３７】
ステップＳ９において、制御部１５は、光学ユニット走査機構１３を制御して、光学ユニット１２を次の露光ラインまで移動する。なお、次の露光ラインまでの移動距離は予め定められている。そして、光学ユニット１２を移動すると、制御部１５は、ステップＳ７に戻り、ステップＳ７からの処理を繰り返す。なお、ステップＳ７に戻った後、表示素子２２に表示される画像は、コンピュータ２から入力される次のラインの画像である。
【００３８】
画像全体の表示が終了すると、ステップＳ１０において、制御部１５は、本体側接続接点１６およびホルダ側接続接点３９を介して、未露光フィルム用ホルダ制御部３７にシャッタを閉鎖するよう指示を出す。未露光フィルム用ホルダ制御部１７は、制御部１５からの指示にしたがって、シャッタ機構３６を制御し、シャッタを閉鎖する。
【００３９】
ステップＳ１１において、制御部１５は、本体側接続接点１６およびホルダ側接続接点３９を介して、未露光フィルム用ホルダ制御部３７に未露光フィルムをコマ送りするよう指示を出す。未露光フィルム用ホルダ制御部３７は、制御部１５からの指示にしたがって、給送機構３３および巻き上げスプール３４を制御し、未露光フィルムを１コマ分コマ送りし、一連の処理を終了する。
【００４０】
次に、画像入力時の動作について説明する。
ステップＳ３において、本体１０に装着されたホルダが現像済みフィルム用ホルダ５０であると判定される（画像入出力の対象が現像済みフィルムであると識別される）と、ステップＳ１３において、制御部１５は、撮像素子２１を投影レンズ２０の光軸上に配置する（図８の状態）。制御部１５は、切換機構２４に、素子基板２３を上方に移動するよう指示を出す。なお、素子基板２３が既に上方に移動されている場合（撮像素子２１が投影レンズ２０の光軸上に配置されている場合）、制御部１５は、そのままステップＳ１４に進む。
【００４１】
ステップＳ１４において、制御部１５は、現像済みフィルム用ホルダ５０に現像済みフィルムが装填されたか否かを判定する。制御部１５は、本体側接続接点１６およびホルダ側接続接点５４を介して、フィルム開口部５１から読み取り対象である現像済みフィルムが装填されたか否かを判定する。
そして、現像済みフィルムが装填されたと判定すると、制御部１５は、本体側接続接点１６およびホルダ側接続接点５４を介して、現像済みフィルム用ホルダ制御部５３に、装填された現像済みフィルムを所定の読み取り開始位置に配置するよう指示を出す。現像済みフィルム用ホルダ制御部５３は、制御部１５からの指示にしたがって、給送機構５２を制御し、現像済みフィルムを所定の読み取り開始位置に配置する。
【００４２】
ステップＳ１５において、制御部１５は、条件設定を行う。制御部１５は、照明光源１７の光量、撮像素子２１の撮影感度などを決定し、各部に指示を出す。なお、条件設定の詳細な方法は、公知技術と同様に行うことができるため、説明を省略する。
ステップＳ１６において、制御部１５は、ステップＳ１５で設定した光量で、照明光源１７を点灯する。図８において、照明光源１７による照明光は、屈曲ミラー１８により現像済みフィルム用ホルダ５０に保持された現像済みフィルムに導かれる。そして、現像済みフィルムを透過した透過光は、屈曲ミラー１９および投影レンズ２０を介して、撮像素子２１上に結像される。
【００４３】
ステップＳ１７において、制御部１５は、撮像素子２１による撮像をステップＳ１５で設定した撮影感度で行う。このような撮像は、ステップＳ１６で説明した照明光源１７の点灯と同時に開始される。そして、所定の時間、撮像を行うことにより、現像済みフィルムからの画像の読み取りを行うと、制御部１５は、ステップＳ１８に進む。
【００４４】
ステップＳ１８において、制御部１５は、画像データをコンピュータ２に転送する。制御部１５は、撮像素子２１により撮像した１ライン分の画像データを、コンピュータ２に転送する。なお、画像入出力装置１内にバッファメモリを設け、所定量ずつまとめて転送するようにしても良い。
【００４５】
ステップＳ１９において、制御部１５は、画像全体の撮像が終了したか否かを判定し、終了していないと判定した場合には、ステップＳ２０に進み、終了したと判定した場合には、ステップＳ２１に進む。
ステップＳ２０において、制御部１５は、光学ユニット１２を次の撮像ラインまで移動する。なお、次の撮像ラインまでの移動距離は予め定められている。そして、光学ユニット１２を移動すると、制御部１５は、ステップＳ１７に戻り、ステップＳ１７からの処理を繰り返す。なお、ステップＳ１７に戻った後、撮像素子２１により撮像される画像は、前回撮像された現像済みフィルム上の画像の次のラインの画像である。
【００４６】
画像全体の撮像が終了すると、ステップＳ２１において、制御部１５は、本体側接続接点１６およびホルダ側接続接点５４を介して、現像済みフィルム用ホルダ制御部５３に現像済みフィルムをコマ送りするよう指示を出す。現像済みフィルム用ホルダ制御部５３は、制御部１５からの指示にしたがって、給送機構５２を制御し、現像済みフィルムを１コマ分コマ送りし、一連の処理を終了する。
【００４７】
以上説明したように、本実施形態によれば、画像入出力の対象が、現像済みフィルムか未露光フィルムかを識別して、現像済みフィルムである場合には、現像済みフィルムからの画像の読み取りを行い、未露光フィルムである場合には、未露光フィルムに対する画像の露光を行う。そのため、１つの機器で画像の入力と出力との両方を容易に行うことができる。また、画像の入出力を行う際に、フィルムスキャナとフィルムレコーダとの両方を用意する必要がなくコストダウンをはかることができる。
【００４８】
また、本実施形態によれば、本体１０に装着されたホルダを、本体側接続接点１６を介して判断することにより画像入出力の対象の識別を行う。そのため、手動でフィルムの種類を設定する手間を省くことができる。
【００４９】
また、本実施形態によれば、画像入出力の対象と、撮像素子２１および表示素子２２との間に共通の光学系である投影レンズ２０を含み、撮像素子２１と表示素子２２とのいずれかが、投影レンズ２０を介して画像入出力の対象と共役な位置に配置される。そのため、配置された撮像素子２１または表示素子２２は、画像入出力の対象に対して光学的に等価な位置に配置される。そのため、投影レンズ２０に変倍機構などを設ける必要がなく、共通の投影レンズ２０を、画像入力時にも画像出力時にも利用することができる。したがって、別々に投影光学系を設ける場合に比べ、装置の小型化を図ることができる。また、フィルムスキャナとフィルムレコーダとの両方を用意する場合に比べて、省スペース化も実現できる。
【００５０】
また、本実施形態によれば、撮像素子２１と表示素子２２とは同一の素子基板２３上に配置され、素子基板２３を移動することにより撮像素子２１と表示素子２２とのいずれかが設定される。そのため、素子基板２３を移動させるだけで、画像の入力と出力とを簡単に切り換えることができる。また、構成を簡単にすることができるので、装置の小型化が可能である。
【００５１】
ただし、表示素子２２は、反射型でなくても良い。反射型でない場合、照明光源、光学系は、表示素子２２の裏面に配置されるので、図５Ａにおける高低差ｄは０になる。
なお、本実施形態では、撮像素子２１と表示素子２２とが同一の素子基板２３上に設けられ、本体１０に装着されるホルダに応じて、この素子基板２３を移動して、画像の入力と出力とを切り換える例を示したが、撮像素子と表示素子とを図９に示すように配置しても良い。
【００５２】
すなわち、図９Ａに示すように、投影レンズ６０の光軸上に、照明光源６１およびフィルム面６２の中心を配置するとともに、ミラー６３を配置する。ミラー６３は入出力の対象からの光路を切り換える光学素子であり、請求項の「光路変換素子」に対応する。ミラー６３は、軸ａを中心に回転することにより、投影レンズ６０の光軸上に出し入れ可能である。なお、表示素子６４および撮像素子６５は、投影レンズ６０を介して、画像入出力の対象であるフィルム面６２と共役な位置に配置されている。
【００５３】
図９Ｂに示すように、ミラー６３を投影レンズ６０の光軸上から退避させると、表示素子６４が投影レンズ６０の光軸上に配置され、画像入出力の対象からの光路は表示素子６４に導かれることになる。このような配置は、表示素子６４を用いた画像出力時に行われる。
一方、図９Ｃに示すように、ミラー６３を投影レンズ６０の光軸上に挿入させると、撮像素子６５が投影レンズ６０の光軸上に配置され、画像入出力の対象からの光路は撮像素子６５に導かれることになる。このような配置は、撮像素子６５を用いた画像入力時に行われる。
【００５４】
すなわち、ミラー６３を移動することにより、画像入出力の対象であるフィルム面６２から投影レンズ６０を通過する光路を、表示素子６４が配置される方向（画像出力部の方向）と、撮像素子６５が配置される方向（画像入力部の方向）とのいずれかに、ミラー６３を用いて切り換える。そして、このようなミラー６３を切り換えることにより、表示素子６４と撮像素子６５とのいずれかが、画像入力の対象と共役な位置に配置される。すなわち、ミラー６３を移動するだけで、画像の入力と出力とを簡単に切り換えることができる。また、構成を簡単にすることができるので、装置の小型化が可能である。
【００５５】
また、本実施形態では、未露光フィルム用ホルダ３０および現像済みフィルム用ホルダ５０を用いて、本体１０にフィルムを装填する例を示したが、本体１０に未露光フィルムおよび現像済みフィルムを受け付ける受け口を設けるようにしても良い。
また、本実施形態では、画像入力の対象が現像済みフィルムで、画像出力の対象が、フィルムパトローネ３２に納められた未露光フィルムである例を示したが、画像の入力および出力の対象はＡＰＳ（Ａｄｖａｎｃｅｄ  Ｐｈｏｔｏ  Ｓｙｓｔｅｍ）フィルムであっても良い。画像入出力の対象がＡＰＳフィルムである場合、ホルダは必要なく、本体１０にＡＰＳフィルムを装填可能な部材を設け、未露光のＡＰＳフィルムも現像済みのＡＰＳフィルムもセットできるようにすれば良い。なお、画像入出力対象のＡＰＳフィルムが未露光であるか露光済みであるかは、ＡＰＳフィルムのカートリッジの識別機構を用いて識別するようにすれば良い。
【００５６】
また、本実施形態では、画像入出力の対象が現像済みフィルムか未露光フィルムかを識別するために、本体１０に装着されたホルダを判断する例を示したが、赤外センサなどを用いても良いし、ユーザにより手動で設定可能にしても良い。
また、本実施形態で、本体１０の制御部１５が行った各指示を、コンピュータ２が行うようにしても良い。
【００５７】
また、本実施形態では、撮像素子２１および表示素子２２としてラインセンサを用いる例を示したが、点センサやエリアセンサなど、どのようなセンサを用いても良い。
また、本実施形態では、光学ユニット１２を移動して、光学ユニット１２とフィルムとの相対的な位置関係を変更する例を示したが、フィルムを移動しても良いし、光学ユニット１２とフィルムとの両方を移動しても良い。
【００５８】
【発明の効果】
以上説明したように、本発明によれば、画像の入力と出力との両方を容易に行える画像入出力装置を提供することができる。
【図面の簡単な説明】
【図１】本実施形態の画像入出力装置の使用形態を示す図である。
【図２】本実施形態の画像入出力装置の本体の構成を示す図である。
【図３】本実施形態の画像入出力装置の未露光フィルム用ホルダの構成を示す図である。
【図４】本実施形態の画像入出力装置の現像済みフィルム用ホルダの構成を示す図である。
【図５】本実施形態の画像入出力装置の撮像素子、表示素子、素子基板について説明する図である。
【図６】本実施形態の画像入出力装置の動作を示す図である。
【図７】本実施形態の画像処理装置で未露光フィルム用ホルダが本体に装着されている場合の図である。
【図８】本実施形態の画像処理装置で現像済みフィルム用ホルダが本体に装着されている場合の図である。
【図９】撮像素子および表示素子の別の配置の例を示す図である。
【符号の説明】
１  画像入出力装置
２  コンピュータ
３  接続ケーブル
１０  本体
１１  スロット部
１２  光学ユニット
１３  光学ユニット走査機構
１５  制御部
１６  本体側接続接点
１７，６１  照明光源
１８，１９  屈曲ミラー
２０，６０  投影レンズ
２１，６５  撮像素子
２２，６４  表示素子
２３  素子基板
２４  切換機構
２５  外部接点
２６  表示素子用照明光源
２７  表示素子照明光学系
２８  表示素子パッケージ
３０  未露光フィルム用ホルダ
３１  裏蓋
３２  フィルムパトローネ
３３，５２  給送機構
３４  巻き上げスプール
３５  アパーチャ
３６  シャッタ機構
３７  未露光フィルム用ホルダ制御部
３８  駆動用電池
３９，５４  ホルダ側接続接点
５０  現像済みフィルム用ホルダ
５１  フィルム開口部
５３  現像済みフィルム用ホルダ制御部
６２  フィルム面
６３  ミラー
【図１】
2004317679.tif 000003
【図２】
2004317679.tif 000004
【図３】
2004317679.tif 000005
【図４】
2004317679.tif 000006
【図５】
2004317679.tif 000007
【図６】
2004317679.tif 000008
【図７】
2004317679.tif 000009
【図８】
2004317679.tif 000010
【図９】
2004317679.tif 000011